(57)【要約】      （修正有）【課題】簡単な構成で軽量、小型であり、しかも任意の構造のかごについても確実かつ迅速、簡単に撒餌を充填でき、同時に臭いの体への付着を防止できる釣り用撒餌充填器を提供する。【解決手段】握り部１８を有する柄部１２と、柄部１２に支持された撒餌の充填押し出し部１４と、充填押し出し部１４に充填した撒餌を押し出す押し出し装置１６と、を含む。柄部１２に所定の取り付け角度で例えば筒体からなる充填押し出し部１４を取り付け、柄部１２で充填押し出し部１４を支持した状態で撒餌を押し出す。また、押し出し装置１６は、筒体２４内で往復摺動自在に設けられ筒体断面大きさよりやや小さなサイズの押し出し壁２６ａを有するスライダ２６であり、引き込みレバー機構２９の引き込みレバー３０の引き込み動作に連係して撒餌Ｍを充填押し出し部１４から外部に押し出す。【選択図】図４
0003145071.tif 000002
【実用新案登録請求の範囲】
【請求項１】
握り部を有する柄部と、
柄部に支持された撒餌の充填押し出し部と、
充填押し出し部に充填した撒餌を押し出す押し出し装置と、を含むことを特徴とする釣り用撒餌充填器。
【請求項２】
押し出し装置は、柄部に近接配置されて引き込みレバーの引き込み操作により充填押し出し部から撒餌を押し出す引き込みレバー機構を含むことを特徴とする請求項１記載の釣り用撒餌充填器。
【請求項３】
充填押し出し部は柄部の長手方向の基準線に対して少なくとも１８０度よりも小さな角度で柄部に連接された直筒体からなることを特徴とする請求項１又は２記載の釣り用撒餌充填器。
【請求項４】
柄部を片手の複数の指で把持し同じ手の他の指で同時に柄部に近接配置された引き込みレバーを引く操作により充填押し出し部から撒餌を押し出すことを特徴とする請求項２又は３記載の釣り用撒餌充填器。
【請求項５】
押し出し装置は、筒体内で往復摺動自在に設けられ筒体断面大きさよりやや小さなサイズの押し出し壁を有するスライダであり、引き込みレバー機構の引き込みレバーの引き込み動作に連係して撒餌を充填押し出し部から外部に押し出すスライダを備えたことを特徴とする請求項３又は４記載の釣り用撒餌充填器。
【請求項６】
筒体の押し出し口縁に氷結した撒餌の掻き取り用の先鋭部が設けられていることを特徴とする請求項３ないし５のいずれかに記載の釣り用撒餌充填器。
【請求項７】
筒体の押し出し口は柄部に遠い部分が近い部分よりも筒長さが長くなるようにテーパ形口として形成されていることを特徴とする請求項３ないし６のいずれかに記載の釣り用撒餌充填器。
【請求項８】
引き込みレバーは柄部にその中間を枢着されて一端側が握り操作されるとともに、他端がスライダに直接に係合しており、
引き込みレバーの一端側の握り操作に応動してスライダの直線移動を維持させるように引き込みレバーの先端がスライダに非連結の係合状態で係合することを特徴とする請求項５ないし７のいずれかに記載の釣り用撒餌充填器。
【考案の詳細な説明】
【技術分野】
【０００１】
本考案は、魚釣時に水中での集魚用の撒餌を撒餌かごに充填するための釣り用撒餌充填器に関する。
【背景技術】
【０００２】
従来、魚釣りの方法の１つとしていわゆる籠釣りが知られている。籠釣りは例えば冷凍エビやプランクトンなどを充填した金属あるいは合成樹脂製の込ませ籠を道糸の途中に連結し、仕掛けとともにこれを水中に投入して込ませ籠の沈降時に充填していたアミエビを水中に撒き散らし、それによる集魚効果を得て狙いの魚を釣り上げるものである。撒餌に使用される冷凍エビとしては例えばオキアミと呼ばれる種類の甲殻類がある。また、その他にアミエビ（アカアミ）と呼ばれる全長１．５〜２ｃｍのエビに似たプランクトンなどもよく知られており、サビキ釣りには欠かせないエサである。これらの撒餌は通常、冷凍状態で釣人に供給されるがクーラーなどから取り出していったん太陽光に晒すと急速に鮮度を低下し周囲に腐敗臭を放つ。一方、撒餌かごは底部から周部にかけて所要の離脱用の目の大きさを有する籠網により構成された保持壁を形成し、上壁部分を開口してその開口から撒餌を充填させて使用するもの、上壁部分にバネ付勢による開閉式の蓋を設けたもの、その他、道糸等への取り付け位置によっても種々の構造、形状の籠が用いられる。この籠への撒餌の充填に際しては通常は手を用いて握り取り、指を使って直接に籠内に充填する場合が多い。しかしながら、撒餌は上述のように鮮度低下により悪臭とも言える腐敗臭を放つが実際には手にふれただけで腐敗臭に近い臭いが残り、食事や自動車運転時に不快感を生じさせる場合が多い。これに対し、文献１の装置が従来提案されている。
【０００３】
【特許文献１】実開昭６４−１３９７５号
【考案の開示】
【考案が解決しようとする課題】
【０００４】
上記の特許文献１は、下端部に餌出口を有する餌容器を、かご保持部を介して立てたかごの上方位置で吊り下げて餌出口からかご内に餌を充填するコマセかご用餌詰め込み装置であり、これによって、餌入れの時間、労力を軽減しようとするものである。しかしながら、この装置では基台、かごを立てた状態に保持するかご保持部、餌の収納用の袋状容器、スタンドとしてのハングアーム等を必要とし、クーラー、撒餌バケツ、道具入れバッグ、竿ケース等々の他の携行物が多い釣行時に持参するものとしては装置が大型化、重量化するとともに嵩張りが大きく、コスト高である。また、釣り場は岩場や磯などの、むしろ足場が不安定な場所が多く、さらに釣り場に当着後の使用可能状態とするまでのセッティングに時間がかかる。さらに、かごの下部側に仕掛けやサビキ針が繋がれるものや、中、大型の籠、開閉蓋を有する形式のかごなどではそのような使用の仕方自体に無理があり、実用性に欠けるという問題があった。
【０００５】
本考案は、上記従来の課題に鑑みてなされたものであり、その１つの目的は、簡単な構成で軽量、小型であり、しかも底部錘付き上面開口かご、開閉蓋付きかご、てんびん一体装備かご等々のいずれの構造のかごについても確実かつ迅速、簡単に撒餌を充填でき、同時に撒餌を素手で直接に扱うことなく臭いの体への付着を防止できる釣り用撒餌充填器を提供することにある。
【課題を解決するための手段】
【０００６】
上記の目的を達成するために、本考案は、握り部１８を有する柄部１２と、柄部１２に支持された撒餌の充填押し出し部１４と、充填押し出し部１４に充填した撒餌Ｍを押し出す押し出し装置１６と、を含む釣り用撒餌充填器１０から構成される。柄部に連結固定する充填押し出し部は、少なくとも充填した撒餌の押し出し口と、放出する撒餌の量だけを仮に収容保持し得る空隙あるいは保持室を有する構成であれば良い。押し出し装置により空隙内に保持した撒餌を押し出す構造は釣りにおける使用であるから、できるだけ簡易かつ軽量にする必要がある。その点から充填押し出し部は直筒形状とし、内部にスライダを摺動自在に収容した状態でピストン形式で撒餌を押し出す構造とするのが好ましい。撒餌Ｍを押し出す押し出し装置の具体的な構造は任意に設定できるが、簡単な構造で、軽量とする必要があるから器体本体を柄部で把持し、その状態で、任意の指先などでの操作により具体的に充填作業を行えるような構成とするのがよい。
【０００７】
その際、押し出し装置１６は、柄部１２に近接配置されて引き込みレバー３０の引き込み操作により充填押し出し部１４から撒餌Ｍを押し出す引き込みレバー機構２９を含むとよい。簡単、軽量の構成を具体的に実現する。同時に、柄部の握り部を把持し、撒餌を収容した充填押し出し部の撒餌の量や溶け具合、バラケ状態などを確認し、かつ、釣り用かごの開口に向けて直接に移し入れるようにして確実にかご内に撒餌充填ができる。
【０００８】
また、充填押し出し部１４は柄部１２の長手方向の基準線３００に対して少なくとも１８０度よりも小さな角度で柄部１２に連接された直筒体２４から構成すると良い。
【０００９】
また、柄部１２を片手の複数の指で把持し同じ手の他の指で同時に柄部に近接配置された引き込みレバー３０を引く操作により充填押し出し部１４から撒餌Ｍを押し出す構成とするとよい。
【００１０】
また、押し出し装置１６は、筒体２４内で往復摺動自在に設けられ筒体断面大きさよりやや小さなサイズの押し出し壁２６ａを有するスライダ２６であり、引き込みレバー機構２９の引き込みレバー３０の引き込み動作に連係して撒餌Ｍを充填押し出し部１４から外部に押し出すスライダ２６を備えるとよい。
【００１１】
また、その際、筒体２４の押し出し口２２縁に氷結した撒餌の掻き取り用の先鋭部２７が設けられているとなおよい。先鋭部２７は、例えば筒体２４の押し出し口２２縁に一体的に形成した鋸刃状の掻き取り刃２８により構成することができる。掻き取り刃２８は冷凍されて氷結された状態の新鮮な撒餌から撒餌かごに充填するための撒餌を採取する際に、硬い氷結面を掻き込んでアミ餌を含む所要量の掻き取り撒餌を確保する。先鋭部２７は、掻き取り刃の代わりに、直筒体の押し出し口の縁の一部又は全部を先端にいくほど先鋭化させて尖らせた構成としても良い。
【００１２】
また、筒体２４の押し出し口２２は柄部１２に遠い部分２２Ａが近い部分２２Ｂよりも筒長さが長くなるようにテーパ形口２３として形成されているとなおよい。なお、テーパ形口とせずに単に筒軸に直角な口形状としても良いのは勿論である。
【００１３】
さらに、引き込みレバー３０は柄部１２にその中間を枢着３４されて一端側が握り操作されるとともに、他端がスライダ２６に直接に係合しており、引き込みレバー３０の一端側３１の握り操作に応動してスライダ２６の直線移動を維持させるように引き込みレバー３０の先端３２がスライダ２６に非連結のルーズな係合状態で係合するようにするとよい。
【考案の効果】
【００１４】
本考案の釣り用撒餌充填器によれば、握り部を有する柄部と、柄部に支持された撒餌の充填押し出し部と、充填押し出し部に充填した撒餌を押し出す押し出し装置と、を含む構成であるから、柄部を握った状態で撒餌を充填した充填押し出し部を支持し、かつ、その状態で撒餌の押し出し操作を行なえるから、臭いが体に付着することがなく、また、かごの構造に左右されることなくかご内へ撒餌を確実に充填することができる。さらに、かご内への撒餌の充填も短時間で簡単に行え実用性の高い撒餌の充填器を提供しうる。簡単な構成で軽量、小型であり、しかも底部錘付き上面開口かご、開閉蓋付きかご、てんびん一体装備かご等々のいずれの構造のかごについても確実かつ迅速、簡単に撒餌を充填でき、同時に撒餌を素手で直接に扱うことなく臭いの体への付着を防止できる釣り用撒餌充填器を提供することにある。
【００１５】
また、押し出し装置は、柄部に近接配置されて引き込みレバーの引き込み操作により充填押し出し部から撒餌を押し出す引き込みレバー機構を含む構成であるから、柄部を握った状態で撒餌を充填した充填押し出し部を支持し、かつ、その状態で撒餌の押し出し操作を行う構成を具体的に実現することが可能である。
【００１６】
また、充填押し出し部は柄部の長手方向の基準線に対して少なくとも１８０度よりも小さな角度で柄部に連接された直筒体からなる構成とすることにより、押し出し口と撒餌の収容空隙とを有する構造を筒体とし、撒餌を直線状の動きで押し出させるから押し出し装置の構造も簡単なものとし、軽量、コンパクト化を達成し得る。
【００１７】
また、柄部を片手の複数の指で把持し同じ手の他の指で同時に柄部に近接配置された引き込みレバーを引く操作により充填押し出し部から撒餌を押し出す構成であるから、柄部を握った状態で撒餌を充填した充填押し出し部を支持し、かつ、その状態で撒餌の押し出し操作を行なうとともに、たとえば指先の引き込みレバー操作の引き込み動作で撒餌を充填できるから、撒餌のかご内への投入状態を確認しながら充填作業を行え、確実、短時間に撒餌のかご内への充填を行なえる。
【００１８】
また、押し出し装置は、筒体内で往復摺動自在に設けられ筒体断面大きさよりやや小さなサイズの押し出し壁を有するスライダであり、引き込みレバー機構の引き込みレバーの引き込み動作に連係して撒餌を充填押し出し部から外部に押し出すスライダを備えた構成であるから、引き込みレバーとスライダを主な撒餌押し出し駆動構成要素とし得る結果、構造を簡略とし、軽量化を達成することができる。
【００１９】
また、筒体２４の押し出し口２２縁に氷結した撒餌の掻き取り用の先鋭部２７が設けられる構成であるから、冷凍氷結したアカアミのような撒餌はすぐには硬く固体化して取り分けできないから撒餌かごに入れ難く、通常では釣り開始までに時間がかかる場合においても確実に充填押し出し部内に撒餌を掻き入れて釣り場に到着後の仕掛け投入までの時間が短くなり、より高い釣果を期待し得る。
【００２０】
また、筒体の押し出し口は柄部に遠い部分が近い部分よりも筒長さが長くなるようにテーパ形口として形成されているから、凍結アカアミを充填押し出し部内に掻き入れる作用が円滑で、確実に収容空隙内への撒餌の収容を行える。
【００２１】
また、引き込みレバーは柄部にその中間を枢着されて一端側が握り操作されるとともに、他端がスライダに直接に係合しており、引き込みレバーの一端側の握り操作に応動してスライダの直線移動を維持させるように引き込みレバーの先端がスライダに非連結の係合状態で係合する構成であるから、引き込みレバーの引き込み動作により直接にスライダを押動させて撒餌を充填押し出し部から排出するように、中間においてギヤやチェーン等の動力伝達部材や機構を用いることなく、極めて簡単な構造で釣り用撒餌充填器を構成し、軽量化を具体的に実現することができる。
【考案を実施するための最良の形態】
【００２２】
以下、添付図面を参照しつつ本考案を実施するための最良の形態について説明する。図１は、本考案の実施形態に係る釣り用撒餌充填器１０の正面図、図２は平面図、図３は底面図、図４は図２Ａ−Ａ線断面図、図５は、スライダを押し出し操作した状態の断面作用説明図であり、図において、釣り用撒餌充填器１０は、柄部１２と、充填押し出し部１４と、押し出し装置１６と、を備えている。
【００２３】
柄部１２は、撒餌の充填押し出し部１４に連接され少なくとも片手で握れる程度の握り部１８を有する支持杆であり、撒餌の充填押し出し部１４に連結固定されてこれを支持する。釣り人は柄部１２の握り部１８を握った状態で撒餌の押し出し操作を行えるのでアミエビ等を直接に指や手に付着させないで釣り用かご２００に対する撒餌の充填作業を行なえる。柄部１２は基部側を握り部１８とし、先端部側を直接に充填押し出し部１４に接続した支持杆であり、例えば合成樹脂を一体成形により一体的に製造したものでもよいし、握り部１８部分のみを木部として高級感を出せるように作製しても良い。
【００２４】
充填押し出し部１４は、充填すべき撒餌を掬い取って、その掬い取った撒餌を釣り用かご内に充填収容させるための手段であり、掬い取った撒餌をいったん収容するための収容空隙２０を有するとともに、かご内への押し出し口２２を備えている。実施形態において、充填押し出し部１４は、中空円筒の直状筒２４で構成されている。直状筒２４の両端は開口しておりその内部に後述するスライダ２６が摺動自在に配置されている。実施形態において、直状筒２４は柄部１２の長手方向の基準線３００に対して直角状に連結接合されている。したがって、握り手１８を握った手の返しで撒餌の充填量、収容状態、押し出し口２２の状態等を確認することができる。柄部１２と直状筒２４とは直角状に連結する態様に限らず、例えば１２０度、６０度あるいはそれ以外の角度に設定することもできる。要は柄部１２の例えば内部を長手方向に通過する基準線３００に対して少なくとも１８０度よりも小さな角度で接続するようにするのがよい。
【００２５】
図１，４，５において、充填押し出し部としての直状筒２４の押し出し口２２では、柄部１２に遠い部分２２Ａが近い部分２２Ｂよりも筒２４の長さが長くなるようにテーパ形口２３として形成されている。したがって、例えば握り部１８を把持して押し出し口２２側を下向きにして釣り人が手前側に掻き取る動作をする場合に、凍結状態のアミエビ等を確実に直状筒２４の収容空隙２０内に掻き入れて撒餌を収容させることができる。さらに、この直状筒２４の押し出し口２２の縁は、鋸刃状の掻き取り刃２８が設けられている。掻き取り刃２８は、筒体２４の押し出し口２２縁に氷結した撒餌の掻き取り用の先鋭部２７であり、これによって、凍結し硬く固化した状態のアミエビから掻き入れ動作により効果的に直状筒２４の収容空隙２０内に所要量のアミエビを含む撒餌を掻き入れて導入させることができる。鋸刃状とせずに、単なる円形の口の縁を先端側にいくほど鋭く尖らせた掻き取り刃構造としてもよい。
【００２６】
押し出し装置１６は、充填押し出し部１４に充填した撒餌を押し出す押し出し駆動手段であり、特に、本実施形態においては直状筒内に収容した撒餌を直接にかご１００（図６）の開口部分からかご内に向けて充填するように押し出す手段である。図２、図３、図４において、押し出し装置１６は、柄部１２に近接配置された引き込みレバー機構２９を含む。引き込みレバー機構２９は、柄部１２の握り部１８を握るとともにレバーの引き操作を介して直状筒２４から撒餌を押し出しさせる際の操作手段であり、充填押し出し部１４としての直状筒２４を柄部１２を介して支持した状態で直状筒２４から撒餌を押し出させる。実施形態において、引き込みレバー機構２９は、細長杆の中間部を柄部１２に枢着され、枢着部の一端側を手により具体的に引き込みさせる引き込みレバー３０を含む。引き込みレバー３０のレバー握り部３１を引き込み、あるいは握り込む操作により、かごの形状、かごの静止状態の姿勢（直立、傾いた状態等々）、大きさに関わらず、ピンポイント的に撒餌を確実にそれらのかご内に充填させることができる。すなわち、柄部１２を片手の複数の指で把持し同じ手の他の指で同時に柄部に近接配置された引き込みレバー３０のレバー握り部３１を引く操作により直状筒２４から撒餌Ｍを押し出すこととなる。図１，４において、詳細には、引き込みレバー３０は、一端側のレバー握り部３１を柄部１２の基端側握り部１８に沿わせて向け、他端側先端部をスライダ２６に直接に当接係合するように延長したレバー先端部３２を有する曲り杆から構成されている。レバー先端部３２はスライダ２６に直接係合するレバー連係部とされる。この引き込みレバー３０の中間部は、柄部１２に枢支３４されており、この枢支部３４回りに引き込みレバー３０の両端側が自在に回動するようになっている。ここで、引き込みレバー３０全体は略く字形状で略直状の柄部１２に沿うように取り付けられている。そして、バネ３６を介してレバー先端部３２側が常時直状筒２４内の撒餌を押し出す前の控え位置（直状筒の筒内中空部の一端寄せ位置）に位置するように付勢保持されている。
【００２７】
本実施形態において、押し出し装置１６は、直状筒２４内で往復摺動自在に設けられたスライダ２６と、引き込みレバー機構２９と、ルーズ係合部４０と、を含む。スライダ２６は、直状筒２４内にあって直状筒２４内での移動により収容空隙２０内に収容されていた撒餌Ｍを外部に排出する押し出し排出手段であり、直接に撒餌Ｍに接触して押し出す。より具体的には、スライダ２６は直状筒２４の断面大きさよりやや小さなサイズの面積の押し出し壁２６ａを有しており、該押し出し壁２６ａが臨む空隙部分が撒餌Ｍの収容空隙２０とされる。スライダ２６は、図３，４に示すように、有底短筒体からなり、底部外面側が押し出し壁２６ａとされる。
【００２８】
ルーズ係合部４０は、引き込みレバー３０の引き込み動作、すなわち柄部１２とともにするレバー３０のレバー握り部３１の握りこみ動作に連係してスライダ２６を押し出し方向に押し出す際の引き込みレバー機構２９とスライダ２６との連係手段であり、本実施形態において、ルーズ係合部４０は、レバー３０の先端部３２と、スライダ２６とをルーズな係合状態で係合させておき、引き込みレバーの先端部３２の円弧移動により円滑にスライダ２６を直線移動させる。レバーの先端部３２はスライダ２６自体に直接に係合するから動力伝達にギヤやチェーン等を用いる必要がなく、軽量化、コンパクト化を実現する。詳細には、有底短筒体からなるスライダ２６の円周壁に底板ぶんを残した壁高さぶんについて対向位置に溝４２を刻設し、その溝内にレバー先端部３２を緩い嵌め合い状態で内嵌してレバー先端部３２がスライダの筒内に配置させてストッパピン４３で離脱防止したものであり、レバー３０の握りこみ動作によるスライダ２６の直線移動時にレバー先端部３２の枢支部３４回り回動による前記押し出し方向移動を妨げないように、直状筒２４にはその筒長手方向に長溝４４が形成されている。レバー先端部３２はスライダ２６に直接に連結した部分はなく、ルーズな係合関係で係合させる。すなわち、レバー先端部３２を溝４２内に緩い嵌め合いで内嵌し、スライダの底壁とレバー先端部３２とを内側に挟むようにストッパピン４３をスライダ２６に取り付けたものであり、引き込みレバー３０の一端側（３１）の握り操作に応動してスライダ２６の直線移動を維持させるように引き込みレバー３０の先端がスライダに非連結の係合状態で係合するようになっているから、引き込みレバー３０先端の円弧移動にも拘らず、直状筒２４内でスライダ２６を安定して円滑に移動させることができる。
【００２９】
次に、本実施形態の釣り用撒餌充填器の使用方法について説明すると、常時は図４のように、引き込みレバー３０のレバー握り部３１は柄部１２の握り部１８から離れた状態で、先端部３２は直状筒２４内の退避位置に位置するようにばね付勢されている。この状態で、冷凍状態のアミエビに掻き取り刃２８を立てて手前に掻き込む動作を行なうことにより充填押し出し部１４の収容空隙２０内にある程度の量のアミエビが掻き込まれて収容される。この掻き込み作業時には引き込みレバー３０を操作することなく、基本的には柄部１２を把持して行われる。次に、撒餌の充填後、手首を回して押し出し口２２を上向きとし撒餌の量や状態などを確認して所望の釣り用撒餌かご２００の開口に近接あるいは当接させ、その状態でレバー基部を引き込むことにより連係機構を介してスライダを押動させ、撒餌を押し出して直接にかご内に充填させる。なお、図６中２５０は、釣り用撒餌かごの底部に固定した重錘である。
【００３０】
図７は、直状筒２４を断面四角形の角筒で構成した例を示しており、その他の構成は上記の実施態様と同一の構成により実現することができる。
【００３１】
上記した実施形態の釣り用撒餌充填器では、柄部の握り部１８を木部とし、枢支部３４から充填押し出し部１４への延長側を金属板の曲げ成形部材で形成し、さらにこれを金属製直状筒にＬ字状に溶接接合して一体化して構成しているが、本発明の釣り用撒餌充填器１０は、この実施形態に限定されるものではなく、例えば具体的な各部材の構成部品の材質はその機能を行う上で支障がない任意のものを選択できる。例えば、柄部１２、充填押し出し部１４を合成樹脂により一体成形し、掻き取り刃２８部分を金属刃として組み付けしたものとすることもできる。また、引き込みレバーも合成樹脂成形品で構成することもできる。押し出し装置１６の構成は、引き込みレバー機構にのみよるものではなく、柄部により充填押し出し部を支持した状態で操作可能な駆動装置構成を含む。
【産業上の利用可能性】
【００３２】
以上説明した本考案の釣り用撒餌充填器は、合成樹脂製のかご、金属製のかご、筒形かご、たる型かご、反転かごその他あらゆる種類の形態のかごについての撒餌充填作業に適用することが可能である。
【図面の簡単な説明】
【００３３】
【図１】本考案の実施形態に係る釣り用撒餌充填器の正面図である。
【図２】図１の釣り用撒餌充填器の平面図である。
【図３】図１の釣り用撒餌充填器を底面側から見た説明図である。
【図４】図１の釣り用撒餌充填器の縦断面図である。
【図５】図４の釣り用撒餌充填器のスライダを押し出し操作した状態の断面作用説明図である。
【図６】図１の釣り用撒餌充填器による、撒餌かごに対する撒餌充填状態を示す説明図である。
【図７】直状筒の他の構成例を示す平面説明図である。
【符号の説明】
【００３４】
１０  釣り用撒餌充填器
１２  柄部
１４  充填押し出し部
１６  押し出し装置
１８  握り部
２０  収容空隙
２２  押し出し口
２４  直状筒
２６  スライダ
２９  引き込みレバー機構
３０  引き込みレバー
３２  レバー先端部
３４  枢支部
４０  ルーズ係合部
２００  釣り用かご
Ｍ  撒餌
【図１】
0003145071.tif 000003
【図２】
0003145071.tif 000004
【図３】
0003145071.tif 000005
【図４】
0003145071.tif 000006
【図５】
0003145071.tif 000007
【図６】
0003145071.tif 000008
【図７】
0003145071.tif 000009